(57)【特許請求の範囲】
【請求項１】
複数種類の情報記録媒体がそれぞれ着脱可能となされたデジタル放送受信装置を制御するデジタル放送受信装置の制御方法において、
受信したデジタル放送信号に対して選局及びデコード処理を施し、番組の映像及び音声信号と番組情報とを取得する第１の工程と、
前記第１の工程で取得された番組情報をメモリに記録する第２の工程と、
前記第２の工程で前記メモリに記録された番組情報のうち、前記メモリから読み出すべき番組情報のジャンルを設定させるためのジャンル設定画面を表示し、そのジャンル設定画面で設定されたジャンルを示す情報を設定部に記録する第３の工程と、
前記第３の工程で表示されたジャンル設定画面により設定されたジャンルの番組情報の転送先を設定させるための転送設定画面を表示する第４の工程と、
前記第４の工程で表示された転送設定画面により設定された転送先が情報記録媒体である場合、前記複数種類の情報記録媒体のうちのいずれの情報記録媒体に転送するのかを設定させるための転送先設定画面を表示し、その転送先設定画面で設定された情報記録媒体を示す情報を前記設定部に記録する第５の工程と、
前記第４の工程で表示された転送設定画面により設定された転送先が外部機器である場合、その転送先となる外部機器のメールアドレスを入力させるためのアドレス設定画面を表示し、そのアドレス設定画面で設定されたメールアドレスを前記設定部に記録する第６の工程と、
前記第５の工程または前記第６の工程の後、前記第３の工程で表示されたジャンル設定画面により設定されたジャンルの番組情報の転送形式を設定させるための転送形式設定画面を表示し、その転送形式設定画面で設定された転送形式を示す情報を前記設定部に記録する第７の工程と、
前記第７の工程の後、前記設定部に記録されたジャンルの番組情報を、前記設定部に記録された情報記録媒体に転送することが要求されたとき、前記メモリから前記設定部に記録されたジャンルの番組情報を読み出し、その読み出した番組情報を前記設定部に記録された転送形式にフォーマット変換し、前記設定部に記録された情報記録媒体に転送して記録させる第８の工程と、
前記第７の工程の後、前記設定部に記録されたジャンルの番組情報を、前記設定部に記録されたメールアドレスに転送することが要求されたとき、前記メモリから前記設定部に記録されたジャンルの番組情報を読み出し、その読み出した番組情報を前記設定部に記録された転送形式にフォーマット変換し、前記設定部に記録されたメールアドレスに送信する第９の工程とを具備することを特徴とするデジタル放送受信装置の制御方法。
【発明の詳細な説明】
【０００１】
【発明の属する技術分野】
この発明は、例えば衛星を用いたデジタルテレビジョン放送等を受信するデジタル放送受信装置の制御方法に関する。
【０００２】
【従来の技術】
周知のように、近年では、デジタルテレビジョン放送が実用化されている。このデジタルテレビジョン放送では、番組を放送する他に、現在放送されている番組、または、今後放送予定されている番組に関する情報（以下、番組情報という）も配信している。この番組情報としては、例えば、番組タイトル、放送局名、録画日時、出演者、あらすじ、ジャンル等を示す各種の内容を含んでいる。
【０００３】
そして、このようなデジタルテレビジョン放送を受信するデジタル放送受信装置では、ユーザが番組情報表示用の所定のキー操作を行なうことにより、現在視聴している番組、または、ＥＰＧ（Electronic Program Guide）等で表示されている放送予定番組について、その番組情報を選択的にテレビジョン画面に表示することが可能となる。
【０００４】
【発明が解決しようとする課題】
ところで、従来のデジタル放送受信装置では、番組情報を受信して表示・閲覧に供することは可能であるが、受信した番組情報をデータとして取得し、外部の情報処理機器等に転送してその積極的な活用を図るという技術については、まだ開発されていないのが現状である。
【０００５】
このため、例えば、ユーザが所望の番組を記録メディアに記録した場合に、その記録メディアのラベルを作成するのに、画面表示された番組情報を見ながら番組タイトルや出演者等の必要な情報を手書きで記入したり、必要な情報をパーソナルコンピュータやワードプロセッサ等でキー入力しプリントアウトするという作業が予測され、ユーザに対して煩雑な作業が強いられることになる。
【０００６】
なお、特開平１０−３４０２３４号公報には、放送されてきた情報や記録媒体に記録された情報を用いたサーバ・サイトへのアクセスを、通常のアクセスと識別する構成が開示されている。
【０００７】
また、特開２０００−２８７１８４号公報には、画像に重畳される所定のパターンに対応するコード情報と、このコード情報に対応するアドレス情報とを記憶し、ネットワークを介してコード情報が送信されてきたとき、そのコード情報に対応するアドレス情報を検索して送信する構成が開示されている。
【０００８】
しかしながら、これらの公開公報には、いずれも、上記したように、受信した番組情報をデータとして取得し、外部の情報処理機器等に転送してその積極的な活用を図るという点については、何らの記載もなされていないものである。
【０００９】
そこで、この発明は上記事情を考慮してなされたもので、受信した番組情報をデータとして取得し、データ形式の変換や外部への転送等の積極的な有効活用を図り得る極めて良好なデジタル放送受信装置の制御方法を提供することを目的とする。
【００１０】
【課題を解決するための手段】
この発明に係るデジタル放送受信装置の制御方法は、複数種類の情報記録媒体がそれぞれ着脱可能となされたデジタル放送受信装置を制御する方法を対象としている。そして、受信したデジタル放送信号に対して選局及びデコード処理を施し、番組の映像及び音声信号と番組情報とを取得する第１の工程と、第１の工程で取得された番組情報をメモリに記録する第２の工程と、第２の工程でメモリに記録された番組情報のうち、メモリから読み出すべき番組情報のジャンルを設定させるためのジャンル設定画面を表示し、そのジャンル設定画面で設定されたジャンルを示す情報を設定部に記録する第３の工程と、第３の工程で表示されたジャンル設定画面により設定されたジャンルの番組情報の転送先を設定させるための転送設定画面を表示する第４の工程と、第４の工程で表示された転送設定画面により設定された転送先が情報記録媒体である場合、複数種類の情報記録媒体のうちのいずれの情報記録媒体に転送するのかを設定させるための転送先設定画面を表示し、その転送先設定画面で設定された情報記録媒体を示す情報を設定部に記録する第５の工程と、第４の工程で表示された転送設定画面により設定された転送先が外部機器である場合、その転送先となる外部機器のメールアドレスを入力させるためのアドレス設定画面を表示し、そのアドレス設定画面で設定されたメールアドレスを設定部に記録する第６の工程と、第５の工程または第６の工程の後、第３の工程で表示されたジャンル設定画面により設定されたジャンルの番組情報の転送形式を設定させるための転送形式設定画面を表示し、その転送形式設定画面で設定された転送形式を示す情報を設定部に記録する第７の工程と、第７の工程の後、設定部に記録されたジャンルの番組情報を、設定部に記録された情報記録媒体に転送することが要求されたとき、メモリから設定部に記録されたジャンルの番組情報を読み出し、その読み出した番組情報を設定部に記録された転送形式にフォーマット変換し、設定部に記録された情報記録媒体に転送して記録させる第８の工程と、第７の工程の後、設定部に記録されたジャンルの番組情報を、設定部に記録されたメールアドレスに転送することが要求されたとき、メモリから設定部に記録されたジャンルの番組情報を読み出し、その読み出した番組情報を設定部に記録された転送形式にフォーマット変換し、設定部に記録されたメールアドレスに送信する第９の工程とを備えるようにしたものである。
【００１４】
上記のような方法によれば、デジタル放送受信装置に着脱可能な情報記録媒体に対して、取得した番組情報を所望の形式に変換して情報記録媒体に転送し保存させることや、番組情報を所望の形式に変換して設定されたメールアドレスに転送することを行なうようにしているので、受信した番組情報をデータとして取得し、データ形式の変換や外部への転送等の積極的な有効活用を図ることが可能となる。
【００１５】
【発明の実施の形態】
以下、この発明の実施の形態について、図面を参照して詳細に説明する。図１は、この実施の形態で説明するデジタル放送受信システムの概略を示している。図１において、符号１１はデジタル放送受信機であり、モニタ１２が接続されている。
【００１６】
このデジタル放送受信機１１は、受信したデジタル放送波に含まれる番組の映像や音声を復元し、モニタ１２に出力して視聴可能としている。また、このデジタル放送受信機１１は、デジタル放送波に含まれる番組情報を復元し、モニタ１２に表示させる機能を有する。
【００１７】
ここで、このデジタル放送受信機１１には、情報記録媒体として、内部に半導体メモリを搭載した種類の異なる第１及び第２のメモリ装置１３，１４が、それぞれ独立に着脱自在となされている。この第１及び第２のメモリ装置１３，１４としては、例えば、スマートメディア（登録商標）、ＳＤカード（登録商標）、メモリスティック（登録商標）等が想定される。
【００１８】
また、このデジタル放送受信機１１には、情報記録媒体としてディスク１５が着脱自在となされている。このディスク１５としては、例えば、ＣＤ（Compact Disk）−Ｒ／Ｗ（Read／Write）、ＣＤ−Ｒ（Recordable）、ＤＶＤ（Digital Versatile Disk）−Ｒ／Ｗ、ＤＶＤ−Ｒ、ＤＶＤ−ＲＡＭ（Random Access Memory）、ＭＯ（Magnet Optical）、ＦＤ［Floppy Disk（登録商標）］等が想定される。なお、このデジタル放送受信機１１には、図示しないＨＤＤ（Hard Disk Drive）も内蔵されている。
【００１９】
そして、このデジタル放送受信機１１は、受信したデジタル放送波に含まれる番組や番組情報を、第１のメモリ装置１３、第２のメモリ装置１４、ディスク１５、ＨＤＤに対して、所望のデータフォーマットに変換して選択的に転送し記録することが可能である。
【００２０】
このため、第１のメモリ装置１３、第２のメモリ装置１４、ディスク１５をデジタル放送受信機１１から取り外して、他の記録再生機能を有する周辺機器に装着することにより、デジタル放送受信機１１で受信した番組情報を、他の周辺機器で利用することが可能となる。
【００２１】
また、このデジタル放送受信機１１は、受信した番組情報を、例えばBluetooth等の無線技術を利用して、携帯電話１６や携帯情報端末１７等にメール転送し、それらの画面上に表示させることが可能である。さらに、このデジタル放送受信機１１は、受信した番組情報を、例えばＬＡＮ（Local Area Network）ケーブル１８を介して、ＰＣ（Personal Computer）１９にメール転送し、その画面上に表示させることが可能である。
【００２２】
なお、上記携帯電話１６、携帯情報端末１７、ＰＣ１９は、それぞれ、デジタル放送受信機１１から送られた番組情報を編集加工して、デジタル放送受信機１１に送り返し、モニタ１２に表示させることも可能である。
【００２３】
図２は、上記デジタル放送受信機１１の詳細を示している。すなわち、アンテナ２０で受信されたデジタル放送波は、チューナ２１によって選局された後、デコード処理部２２に供給されてデコード処理が施される。そして、このデコード処理部２２から出力された番組の映像信号及び音声信号は、モニタ１２に供給されてユーザの視聴に供される。
【００２４】
また、上記デコード処理部２２から出力された番組情報は、番組情報制御部２３に供給される。この番組情報制御部２３は、入力された番組情報をＥＥＰＲＯＭ（Electrically Erasable and Programmable Read Only Memory）２４に対して書き込み読み出しする機能を有する。
【００２５】
さらに、この番組情報制御部２３は、ユーザの操作情報に基づいて、ＥＥＰＲＯＭ２４に書き込まれた番組情報を読み出し、モニタ１２での表示に適するデータフォーマットに変換してモニタ１２に出力する機能を有する。
【００２６】
また、この番組情報制御部２３は、ユーザの操作情報に基づいて、ＥＥＰＲＯＭ２４に書き込まれた番組情報を読み出し、フォーマット変換転送処理部２５に出力する機能を有する。
【００２７】
このフォーマット変換転送処理部２５は、ユーザの操作により設定部２６に設定された設定情報に基づいて、番組情報制御部２３から供給された番組情報に対し、情報記録媒体に転送して記録させるための記録用フォーマット変換処理と、メール転送するための転送用フォーマット変換処理とを選択的に実行する。
【００２８】
そして、記録用フォーマット変換処理が施された番組情報は、保存処理部２７を介して、前述した第１のメモリ装置１３、第２のメモリ装置１４、ディスク１５、ＨＤＤに選択的に転送されて記録される。
【００２９】
また、転送用フォーマット変換処理が施された番組情報は、転送処理部２８を介して、前述した携帯電話１６、携帯情報端末１７、ＰＣ１９への転送に供される。
【００３０】
なお、第１のメモリ装置１３、第２のメモリ装置１４、ディスク１５、ＨＤＤ等に記録された番組情報は、選択的に保存処理部２７を介してフォーマット変換転送処理部２５に供給され、所定のフォーマット変換処理が施された後、番組情報制御部２３に供給されて、ＥＥＰＲＯＭ２４への記録やモニタ１２での表示に供される。
【００３１】
また、携帯電話１６、携帯情報端末１７、ＰＣ１９から送り返された番組情報は、選択的に転送処理部２８を介してフォーマット変換転送処理部２５に供給され、所定のフォーマット変換処理が施された後、番組情報制御部２３に供給されて、ＥＥＰＲＯＭ２４への記録やモニタ１２での表示に供される。
【００３２】
図３は、ＥＥＰＲＯＭ２４に記録された番組情報を、上記第１のメモリ装置１３、第２のメモリ装置１４に転送して記録させたり、上記携帯電話１６、携帯情報端末１７、ＰＣ１９に選択的に転送させたりする動作をまとめたフローチャートを示している。
【００３３】
まず、開始（ステップＳ１１）されると、番組情報制御部２３は、ステップＳ１２で、モニタ１２にジャンル設定の画面を表示させ、ユーザにＥＥＰＲＯＭ２４から読み出す番組情報のジャンルを設定させる。
【００３４】
このジャンル設定の画面は、図４（ａ）に示すように、複数種類のジャンルの一覧を表示させ、その中からユーザが例えばリモートコントローラ等の操作で必要なジャンルを選択するタイプのものである。
【００３５】
次に、番組情報制御部２３は、ステップＳ１３で、番組情報を情報記録媒体に転送するのか、他の外部機器に転送するのかをユーザに選択させるための転送設定の画面をモニタ１２に表示させる。
【００３６】
この転送設定の画面は、図４（ｂ）に示すように、「記録媒体」、「外部機器」、「しない」を表示させ、その中からユーザが例えばリモートコントローラ等の操作で必要な項目を選択するタイプのものである。
【００３７】
ここで、「しない」が選択されると、番組情報制御部２３は、そのまま処理を終了（ステップＳ１７）する。
【００３８】
また、「記録媒体」が選択されると、番組情報制御部２３は、ステップＳ１４で、どの記録媒体に転送するのかをユーザに選択させるための転送先設定の画面をモニタ１２に表示させる。
【００３９】
この転送先設定の画面は、図４（ｃ）に示すように、「第１のメモリ装置」、「第２のメモリ装置」を表示させ、その中からユーザが例えばリモートコントローラ等の操作で必要な項目を選択するタイプのものである。この動作例では、ディスク１５は省略しているが、記録媒体の選択肢としてディスク１５を含めても良いことは言うまでもないことである。
【００４０】
また、上記ステップＳ１３で「外部機器」が選択されると、番組情報制御部２３は、ステップＳ１５で、転送先のメールアドレスをユーザに入力させるためのアドレス設定の画面をモニタ１２に表示させる。
【００４１】
このアドレス設定の画面は、図５（ａ）に示すように、ユーザが例えばリモートコントローラ等文字キーを操作してメールアドレスを入力するタイプのものである。
【００４２】
そして、上記ステップＳ１４またはステップＳ１５の後、番組情報制御部２３は、ステップＳ１６で、番組情報の転送形式をユーザに選択させるための転送形式設定の画面をモニタ１２に表示させて、処理を終了（ステップＳ１７）する。
【００４３】
この転送形式設定の画面は、図５（ｂ）に示すように、「テキスト形式」、「表計算形式」、「ワープロ形式」等を表示させ、その中からユーザが例えばリモートコントローラ等の操作で必要な項目を選択するタイプのものである。
【００４４】
上記のようにして設定されたジャンル、転送先、アドレス、転送形式等の情報は、前記設定部２６に記録され、以下、図６に示すフローチャートのように、番組情報の転送動作が実行される。
【００４５】
まず、開始（ステップＳ１８）されると、番組情報制御部２３は、ステップＳ１９で、番組情報の転送が要求されたか否かを判別し、要求されていないと判断された場合（ＮＯ）、そのまま処理を終了（ステップＳ２８）する。
【００４６】
また、ステップＳ１９で番組情報の転送が要求されたと判断された場合（ＹＥＳ）、番組情報制御部２３は、ステップＳ２０で、転送する番組情報が設定されたジャンルに対応するものであるか否かを判別し、対応するものでないと判断された場合（ＮＯ）、そのまま処理を終了（ステップＳ２８）する。
【００４７】
さらに、ステップＳ２０で転送する番組情報が設定されたジャンルに対応するものであると判断された場合（ＹＥＳ）、番組情報制御部２３は、ステップＳ２１で、設定された転送先が情報記録媒体であるか否かを判別する。
【００４８】
そして、転送先が情報記録媒体でないと判断された場合（ＮＯ）、番組情報制御部２３は、ステップＳ２２で、外部機器への転送であると判断し、転送する番組情報をメール本文に記入するか、フォーマット変換転送処理部２５で設定された転送形式に対応したフォーマットに変換させ、添付ファイルとしてメールに付加する。
【００４９】
その後、番組情報制御部２３は、ステップＳ２３で、転送処理部２８によりメールを設定されたメールアドレスに送信させ、ここに、外部機器への番組情報のメールによる転送処理が終了（ステップＳ２８）される。
【００５０】
また、上記ステップＳ２１で番組情報の転送先が情報記録媒体であると判別された場合（ＹＥＳ）、番組情報制御部２３は、ステップＳ２４で、転送する番組情報を、フォーマット変換転送処理部２５で、設定された転送形式に対応したファイルに変換し、ステップＳ２５で、設定された転送先が第１のメモリ装置１３か否かを判別する。
【００５１】
設定された転送先が第１のメモリ装置１３でないと判断された場合（ＮＯ）、番組情報制御部２３は、ステップＳ２６で、ファイルを第２のメモリ装置１４に転送して保存させ、設定された転送先が第１のメモリ装置１３であると判断された場合（ＹＥＳ）、ステップＳ２７で、ファイルを第１のメモリ装置１３に転送して保存させ、ここに、情報記録媒体への番組情報の記録が終了（ステップＳ２８）される。
【００５２】
上記した実施の形態によれば、デジタル放送受信機１１に対して着脱可能な情報記録媒体（第１のメモリ装置１３、第２のメモリ装置１４、ディスク１５等）に対して、取得した番組情報を所望のフォーマットに変換して転送し保存させる機能と、周辺機器（携帯電話１６、携帯情報端末１７、ＰＣ１９等）に対して、取得した番組情報を所望のフォーマットに変換して転送する機能とを備えるようにしている。
【００５３】
このため、番組情報を取得した機器（デジタル放送受信機１１）だけでなく、その周辺機器（携帯電話１６、携帯情報端末１７、ＰＣ１９等）でも番組情報を容易に取得することができるようになるので、例えば、ＰＣ１９で番組情報を編集管理したり、プリンタ等でラベル印刷を行なったり、携帯情報端末１７で番組表を確認したり、携帯電話１６で取得した番組データから録画予約を行なったりというように、番組情報を有効に活用することが可能となる。
【００５４】
また、デジタル放送受信機１１は、番組情報を受信する毎に、設定部２６の内容に基づいて、取得した番組情報を自動的に転送するように構成することもできる。
【００５５】
さらに、デジタル放送受信機１１は、特定の番組情報をモニタ１２に表示させている状態で、ユーザの操作により、その表示されている番組情報を、設定部２６の内容に基づいて転送するように構成することもできる。
【００５６】
また、デジタル放送受信機１１は、ＥＰＧ等によりモニタ１２に表示された番組表から所定の番組を選択して転送操作を行なうことで、その選択された番組に対応する番組情報を、設定部２６の内容に基づいて転送するように構成することもできる。
【００５７】
さらに、デジタル放送受信機１１は、特定の番組を録画した時点で、その番組に対応する番組情報を、設定部２６の内容に基づいて自動的に転送するように構成することもできる。
【００５８】
また、デジタル放送受信機１１は、特定の番組を録画予約した時点で、その番組に対応する番組情報を、設定部２６の内容に基づいて自動的に転送するように構成することもできる。
【００５９】
さらに、デジタル放送受信機１１は、特定の番組を視聴した時点で、その番組に対応する番組情報を、設定部２６の内容に基づいて自動的に転送するように構成することもできる。
【００６０】
また、デジタル放送受信機１１は、特定の番組を視聴予約した時点で、その番組に対応する番組情報を、設定部２６の内容に基づいて自動的に転送するように構成することもできる。
【００６１】
なお、この発明は上記した実施の形態に限定されるものではなく、この外その要旨を逸脱しない範囲で種々変形して実施することができる。
【００６２】
【発明の効果】
以上詳述したようにこの発明によれば、受信した番組情報をデータとして取得し、データ形式の変換や外部への転送等の積極的な有効活用を図り得る極めて良好なデジタル放送受信装置の制御方法を提供することができる。
【図面の簡単な説明】
【図１】この発明の実施の形態を示すもので、デジタル放送受信システムの概略を説明するために示す図。
【図２】同実施の形態におけるデジタル放送受信機の詳細を説明するために示すブロック構成図。
【図３】同実施の形態における番組情報を転送する際の設定動作を説明するために示すフローチャート。
【図４】同実施の形態における番組情報を転送する際の設定動作時に表示される設定画面の一例を説明するために示す図。
【図５】同実施の形態における番組情報を転送する際の設定動作時に表示される設定画面の一例を説明するために示す図。
【図６】同実施の形態における番組情報の転送動作を説明するために示すフローチャート。
【符号の説明】
１１…デジタル放送受信機、
１２…モニタ、
１３…第１のメモリ装置、
１４…第２のメモリ装置、
１５…ディスク、
１６…携帯電話、
１７…携帯情報端末、
１８…ＬＡＮケーブル、
１９…ＰＣ、
２０…アンテナ、
２１…チューナ、
２２…デコード処理部、
２３…番組情報制御部、
２４…ＥＥＰＲＯＭ、
２５…フォーマット変換転送処理部、
２６…設定部、
２７…保存処理部、
２８…転送処理部。
【図１】
0003715587.tif 000002
【図２】
0003715587.tif 000003
【図３】
0003715587.tif 000004
【図４】
0003715587.tif 000005
【図５】
0003715587.tif 000006
【図６】
0003715587.tif 000007